(57)【要約】【課題】折畳み可能とした可搬式作業台を提供する。【解決手段】桁方向に離間して配置された一対の主脚(1)(1)の間の中間位置で桁方向に分割された分割天板(2)(2)と側部材(3)(3)を上下に配置し、桁方向に対向する分割天板(2)(2)と側部材(3)(3)を山折れ方向に屈折した折畳み姿勢(P2)と水平方向に展開した展開姿勢(P1)との間で姿勢変更自在とされた可搬式作業台であり、前記分割天板(2)及び側部材(3)は、それぞれの基端部を下側支軸(21)及び上側支軸(27)を介して前記主脚(1)に枢結されると共に、それぞれの桁方向に対向する先端部を下側連結軸(23)及び上側連結軸(28)を介して枢結されており、前記下側支軸(21)と下側連結軸(23)と上側支軸(27)と上側連結軸(28)は、相互に桁方向及び上下方向に各軸を結ぶ線が平行四辺形(SQ)を成すように配置されている。【選択図】図１２
2018154977.tif 000002
【特許請求の範囲】
【請求項１】
相互に直交するＸ方向の桁方向とＹ方向の妻方向に関して、桁方向に離間して配置された一対の主脚(1)(1)の間の中間位置で桁方向に分割された分割天板(2)(2)と側部材(3)(3)を上下に配置し、桁方向に対向する分割天板(2)(2)と側部材(3)(3)を山折れ方向に屈折した折畳み姿勢(P2)と水平方向に展開した展開姿勢(P1)との間で姿勢変更自在とされた可搬式作業台であり、
前記分割天板(2)及び側部材(3)は、それぞれの基端部を下側支軸(21)及び上側支軸(27)を介して前記主脚(1)に枢結されると共に、それぞれの桁方向に対向する先端部を下側連結軸(23)及び上側連結軸(28)を介して枢結されており、
前記下側支軸(21)と下側連結軸(23)と上側支軸(27)と上側連結軸(28)は、相互に桁方向及び上下方向に各軸を結ぶ線が平行四辺形(SQ)を成すように配置されて成ることを特徴とする可搬式作業台。
【請求項２】
前記主脚(1)の下端部にキャスタ(7)を設け、
前記下側連結軸(23)と上側連結軸(28)を相互に連結する操作グリップ(29)を設けて成ることを特徴とする請求項１に記載の可搬式作業台。
【請求項３】
前記主脚(1)は、妻方向に間隔をあけて配置された一対の脚柱(4)から上向きに手掛かり棒(6)を延設しており、
前記手掛かり棒(6)に屈折自在な吊持手段(9)を設け、前記展開姿勢(P1)としたとき、前記吊持手段(9)により、前記手掛かり棒(6)に臨む側部材(3)と分割天板(2)の少なくとも一方を吊持するように構成して成ることを特徴とする請求項１又は２に記載の可搬式作業台。
【発明の詳細な説明】
【技術分野】
【０００１】
本発明は、建物の天井工事やその他の工事等の高所作業を行うための作業台に関し、特に折畳み可能とした可搬式作業台に関する。
【背景技術】
【０００２】
従来、桁方向に離間して配置された一対の主脚の間に作業天板を架設して成る可搬式作業台が公知である。
【０００３】
可搬式作業台は、作業台の運搬を可能にするため、作業天板の下側に主脚を回動することにより折畳み可能に構成している。
【０００４】
近年、高所作業時の作業者の安全のため、主脚から上向きに手掛かり棒を設けた可搬式作業台が提供されており、この場合、手掛かり棒は、主脚に重なるように折畳み可能とされており、主脚に重ねた状態で作業天板の下側に回動することにより折畳まれる。
【先行技術文献】
【特許文献】
【０００５】
【特許文献１】特開２０１２−９２６１８号公報
【特許文献２】特開２０１１−１６９０６９号公報
【発明の概要】
【発明が解決しようとする課題】
【０００６】
従来技術のように主脚を作業天板の下側に回動することにより折畳む形式の可搬式作業台の場合、折畳んだ状態で作業台の高さ方向の嵩が低くされるので、複数の作業台を上下に積層することにより、運搬・保管することができる利点がある。
【０００７】
しかしながら、作業天板が広い面積とされている場合は、高さ方向に折畳んでも面積が小さくならないので、保管場所として広い床面積を必要とする問題がある。しかも、従来技術の場合、折畳み姿勢と展開姿勢の間で姿勢変更させるたびに、作業天板を持ち上げて主脚を回動しなければならないので、重労働が強いられる。
【０００８】
このため、高さ方向の嵩を低くするように折畳み可能とした従来技術とは別に、作業台を横方向（桁方向）に偏平となるように折畳むことにより、起立状態で運搬・保管を可能とする可搬式作業台の提供が望まれる。
【０００９】
本発明は、上記に鑑み、作業天板を桁方向に分割された分割天板により構成し、分割天板を山折れ状態に屈折させた折畳み姿勢と、分割天板を水平状態に展開させた展開姿勢の間で姿勢変更自在とした可搬式作業台を提供するものであり、その際、分割天板に側部材を並設することにより、折畳み姿勢と展開姿勢の間の姿勢変更を円滑かつ簡単容易に行うことが可能であり、しかも、展開姿勢時における分割天板の剛性を高め、更には、側部材を分割天板の側縁に添う幅木として利用することにより、高所作業の安全性に寄与できるようにした可搬式作業台を提供するものである。
【課題を解決するための手段】
【００１０】
そこで、上記課題を解決するために本発明が手段として構成したところは、相互に直交するＸ方向の桁方向とＹ方向の妻方向に関して、桁方向に離間して配置された一対の主脚の間の中間位置で桁方向に分割された分割天板と側部材を上下に配置し、桁方向に対向する分割天板と側部材を山折れ方向に屈折した折畳み姿勢と水平方向に展開した展開姿勢との間で姿勢変更自在とされた可搬式作業台であり、前記分割天板及び側部材は、それぞれの基端部を下側支軸及び上側支軸を介して前記主脚に枢結されると共に、それぞれの桁方向に対向する先端部を下側連結軸及び上側連結軸を介して枢結されており、前記下側支軸と下側連結軸と上側支軸と上側連結軸は、相互に桁方向及び上下方向に各軸を結ぶ線が平行四辺形を成すように配置されて成る点にある。
【００１１】
この際、前記主脚の下端部にキャスタを設け、前記下側連結軸と上側連結軸を相互に連結する操作グリップを設けることが好ましい。
【００１２】
本発明の好ましい実施形態において、前記主脚は、妻方向に間隔をあけて配置された一対の脚柱から上向きに手掛かり棒を延設しており、前記手掛かり棒に屈折自在な吊持手段を設け、前記展開姿勢としたとき、前記吊持手段により、前記手掛かり棒に臨む側部材と分割天板の少なくとも一方を吊持するように構成している。
【発明の効果】
【００１３】
本発明によれば、作業台は、横方向（桁方向）に偏平となるように折畳まれた折畳み姿勢Ｐ２とすることが可能である。
【００１４】
特に、分割天板２の下側支軸２１及び下側連結軸２３と側部材３の上側支軸２７及び上側連結軸２８による４本の軸を結ぶ線により平行四辺形ＳＱを形成しているので、展開姿勢Ｐ１から主脚１、１を近接させると共に分割天板２及び側部材３を山折れ方向に屈折させながら折畳み姿勢Ｐ２にする場合と、折畳み姿勢Ｐ２から主脚１、１を離間させると共に分割天板２及び側部材３を水平方向に展開させながら展開姿勢Ｐ１にする場合の何れの場合においても、分割天板２の両側に側部材３、３を一体化した状態で、円滑かつ簡単容易に行うことができる。
【００１５】
この際、展開姿勢Ｐ１とした状態で、側部材３により、分割天板２の弱軸強度（曲げ・剪断・撓み）や面剛性を補強できるように構成しておけば、大荷重にも好適に耐える剛性を確保することが可能になる。
【００１６】
そして、上述の平行四辺形ＳＱに関して、分割天板２の下側連結軸２３と側部材３の上側連結軸２７は、両軸を結ぶ線を鉛直方向としているので、この鉛直線に沿って、両軸２３、２７を連結する操作グリップ２９を設ければ、該操作グリップ２９により分割天板２と側部材３を同時に持ち上げ又は降ろすことが可能であり、その際、展開姿勢Ｐ１と折畳み姿勢Ｐ２の間で姿勢変更を行う間、操作グリップ２９は、姿勢を変えることなく、常に鉛直姿勢を保持するので、作業者による作業が頗る容易である。
【００１７】
更に、側部材３は、分割天板２の両側縁に添う起立壁を形成するように構成すれば、仮設足場の足場板等に関して知られているような幅木と同様の機能を備えることが可能であり、高所作業の安全性に寄与することができる。この場合、幅木としての側部材３は、分割天板２の外側面に沿って配置することが好ましく、これにより、姿勢変更の際、分割天板２の両側縁が側部材３、３の内側面に進入させられるので、屈折及び展開は、分割天板２の両側に側部材３、３を一体化した状態で、横揺れのない円滑な動作が確保され、各軸に対する負荷を軽減することができる。
【図面の簡単な説明】
【００１８】
【図１】本発明の１実施形態に係る可搬式作業台を展開姿勢とした状態を示す斜視図である。
【図２】展開姿勢とした可搬式作業台を示しており、（Ａ）は正面図、（Ｂ）は側面図である。
【図３】可搬式作業台の分割天板と側部材を示す斜視図である。
【図４】作業台の右側に設けられた分割天板と側部材を示す正面図である。
【図５】展開姿勢とした作業台における分割天板と側部材の状態を示す正面図である。
【図６】折畳み時の初期状態における分割天板と側部材の状態を示す正面図である。
【図７】折畳み中における分割天板と側部材の状態を示す正面図である。
【図８】折畳み姿勢とした分割天板と側部材の状態を示す正面図である。
【図９】作業台を展開姿勢から折畳み姿勢とする際に手摺を手掛かり棒から離脱させる方法を示す斜視図である。
【図１０】手掛かり棒から離脱させた手摺を主脚の脚柱に重ねる方法を示す斜視図である。
【図１１】図１０の一部を拡大して示しており、（Ａ）は手摺と主脚の関係を示す斜視図、（Ｂ）は吊持手段を示す斜視図である。
【図１２】折畳み中の作業台を示す斜視図である。
【図１３】折畳み姿勢とした作業台を示す斜視図である。
【図１４】分割天板の下側連結軸と幅木の上側連結軸の変形実施形態を示しており、（Ａ）は展開姿勢とした状態を示す正面図、（Ｂ）は折畳み中の状態を示す正面図である。
【発明を実施するための形態】
【００１９】
以下図面に基づいて本発明の好ましい実施形態を詳述する。
【００２０】
（全体構成）
図１及び図２は、展開姿勢とした作業台を示している。作業台は、相互に直交するＸ方向の桁方向とＹ方向の妻方向に関して、一対の主脚１、１を桁方向Ｘに離間して配置し、該主脚１、１の間に、桁方向Ｘの中間で分割された分割天板２、２を架設することにより作業床を形成し、各分割天板２の両側の桁側縁の外側に沿って側部材３を配置している。図示実施形態の場合、２枚の分割天板２と、各分割天板２の両側に沿わされた合計４枚の側部材３が配置されている。
【００２１】
本発明において、前記側部材３は、図示のように分割天板２の側縁に起立壁を形成する幅木を構成することが好ましい。この場合、側部材３は、仮設足場の足場板等に関して既知の幅木としての機能を備えることが可能であり、高所作業の安全性に寄与することができる。しかしながら、本発明における側部材３は、必ずしも幅木として利用可能なものに限定されるものではなく、図示のような平板状の形態以外に、ビーム状その他の形態としても良く、分割天板２から離間させる等、種々の配置構成を採用しても良い。
【００２２】
作業台は、図１に示すように、前記主脚１、１を離間させると共に分割天板２と側部材３を水平方向に展開させた展開姿勢Ｐ１と、図１２に示すように、前記主脚１、１を近接させると共に分割天板２と側部材３を山折れ方向に屈折させた折畳み姿勢Ｐ２を可能としており、両姿勢の間で姿勢変更自在に構成されている。
【００２３】
主脚１は、妻方向Ｙに間隔をあけて配置された脚柱４、４を複数本の横桟５で連結した梯子状のフレームを形成し、作業者が作業床に乗降する際の便宜に供すると共に、前記脚柱４、４から上向きに手掛かり棒６を延設している。
【００２４】
前記脚柱４、４の下端にはキャスタ７が設けられており、図示実施形態の場合、脚柱４を構成する伸縮脚４ａの下端にキャスタ７を設けている。従って、作業台は、図１に鎖線で示すように、伸縮脚４ａを介して作業床の高さを調整することが可能であり、しかも、展開姿勢Ｐ１と折畳み姿勢Ｐ２の何れの姿勢としたときにも、キャスタ７を介して床面上を走行させることができる。
【００２５】
伸縮脚４ａは脚柱４に伸縮自在に挿入されており、図２（Ｂ）に示すように、下段の横桟５に背合わせ状態で設けられた一対の係脱ロック手段８により、収縮位置と所望の伸長位置で伸縮不能にロックされる。
【００２６】
前記手掛かり棒６、６は、屈折自在な吊持手段９を設けており、図１に示すように、作業台を展開姿勢Ｐ１としたとき、該手掛かり棒６に臨む側部材３及び分割天板２の少なくとも一方を吊持し、図１２に示すように、作業台を折畳み姿勢Ｐ２に向けて姿勢変更すると際に山折れ方向に屈折させられる。図示実施形態の場合、図１１（Ｂ）に示すように、吊持手段９の下端部を側部材３に設けた枢結金具１０に枢着することにより、該側部材３を吊持すると共に、該枢結金具１０から延設された支持手段１１により分割天板２の底面を支持するように構成することが好ましい。
【００２７】
一対の主脚１、１に立設された４本の手掛かり棒６のうち、桁方向Ｘに対向する一対の手掛かり棒６、６には、手摺１２が架設される。手摺１２は、主材１２ａに伸縮材２ｂを伸縮自在に組み合わせることにより構成され、主材１２ａの基端部を一方の手掛かり棒６の上端部に枢結金具１３を介して枢結し、伸縮材２ｂの先端部を他方の手掛かり棒６の上端部に係脱金具１４を介して係脱自在に係止固定される。
【００２８】
従って、手摺１２は、作業台を展開姿勢Ｐ１とした状態で、作業床の上方空間を桁側から囲み、作業者が作業床から転落することを防止する。その一方において、手摺１２は、作業台を折畳み姿勢Ｐ２とする際に、図９に示すように、伸縮材２ｂを伸長方向に移動させると前記係脱金具１４の係止が解除され、枢結金具１３を介して回動自在とされる。そこで、伸縮材２ｂを主材１２ａに対して収縮させながら、図１０に矢印で示すように、手掛かり棒６及び脚柱４に沿って重ね合わせることが可能であり、脚柱４に設けたピン等の被係止手段に前記係脱金具１４を係止することにより固定される。
【００２９】
図９に示すように、手摺１２を一対の手掛かり棒６、６に架設したとき、手掛かり棒６に回動自在に設けたアーム部材１５の先端を伸縮材２ｂに係止固定し、これにより該伸縮材２ｂを固定支持するように構成することが好ましい。アーム部材１５は、作業台を折畳み姿勢Ｐ２とする際、前記伸縮材２ｂから離脱させられ、手掛かり棒６の側面に重ねた状態で係止固定されるように構成している。
【００３０】
前記アーム部材１５は、図１３に示すように、作業台を折畳み姿勢Ｐ２としたとき、相互に近接させられた一対の主脚１、１の手掛かり棒６、６を係脱自在に連結する折畳み保持手段１６として兼用される。尚、図例の構成の場合、アーム部材１５の下方に位置して、同様に構成された保持アーム１７が脚柱４の側部に枢着されており、該保持アーム１７は、作業台を展開姿勢Ｐ１としたときは、脚柱４の側部に沿って係止固定されているが、作業台を折畳み姿勢Ｐ２としたとき、相互に近接させられた一対の主脚１、１の脚柱４、４を係脱自在に連結する。
【００３１】
（分割天板と側部材の構成）
分割天板２と側部材３の構成を図３ないし図８に基づいて説明する。以下、説明の便宜上、図面の左側に示される主脚１、分割天板２、側部材３は、それぞれ符号１Ｌ、２Ｌ、３Ｌとして説明し、図面の右側に示される主脚１、分割天板２、側部材３は、それぞれ符号１Ｒ、２Ｒ、３Ｒとして説明する。尚、左側と右側を区別しないときは、単に主脚１、分割天板２、側部材３と称する場合がある。
【００３２】
（分割天板）
分割天板２は、基端部の妻方向の両側に支持ブラケット１８を固設しており、先端部の妻方向の両側に連結ブラケット１９を固設すると共に、該妻方向の中央部に中央ブラケット２０（図２（Ｂ）参照）を設けている。
【００３３】
分割天板２の支持ブラケット１８は、主脚１の脚柱４の内側面に重ねられ、軸支孔２１ａを介して下側支軸２１により回動自在に枢支される。支持ブラケット１８は、下側に延長ブラケット１８ａを備え、分割天板２を水平姿勢とした状態で、該延長ブラケット１８ａに形成した切欠き部を脚柱４に設けたピン等のストッパに係止させ、分割天板２が水平姿勢から下向き回動することを阻止する。
【００３４】
左右の分割天板２Ｌ、２Ｒに設けられた連結ブラケット１９及び中央ブラケット２０は、該分割天板２Ｌ、２Ｒの突き合わせられた先端部に位置して相互に重ね合わせられる。連結ブラケット１９は、軸支孔２３ａを介して下側連結軸２３により回動自在に枢結され、中央ブラケット２０は、軸支孔を介して中央連結軸２４（図２（Ｂ）参照）により回動自在に枢結される。この際、下側連結軸２３と中央連結軸２４は、相互に同軸上に配置されている。
【００３５】
（側部材）
側部材３は、基端部に枢支ブラケット２５を固設し、先端部の下側に枢結ブラケット２６を固設している。図示実施形態の場合、上述のような幅木を構成するため、分割天板２の両側縁に沿って配置された一対の側部材３、３の内法幅Ｗは、その幅内に分割天板２を遊動自在に嵌入するように構成されている。
【００３６】
側部材３の枢支ブラケット２５は、分割天板２の支持ブラケット１８の直上に位置して主脚１の脚柱４の内側面に重ねられ、軸支孔２７ａを介して上側支軸２７により回動自在に枢支される。図示実施形態の場合、側部材３は、桁方向に反転させた姿勢として、左側主脚１Ｌに枢支される左側側部材３Ｌと、右側主脚１Ｒに枢支される右側側部材３Ｒを兼用可能に構成されており、このため、枢支ブラケット２５は、図３に示すように、上下に位置する一対の軸支孔２７ａを設けている。
【００３７】
左右の側部材３Ｌ、３Ｒに設けられた枢結ブラケット２６は、分割天板２の連結ブラケット１９の直上に位置して、側部材３Ｌ、３Ｒの突き合わせられた先端部に位置して相互に重ね合わせられ、軸支孔２８ａを介して上側連結軸２８により回動自在に枢結される。
【００３８】
（分割天板と側部材の相互関係）
図示左側の左側分割天板２Ｌ及び左側側部材３Ｌと、図示右側の右側分割天板２Ｒ及び右側側部材３Ｒは、それぞれ、図４に鎖線で示すように、分割天板２の下側支軸２１と下側連結軸２３を結ぶ線と、側部材３の上側支軸２７と上側連結軸２８を結ぶ線と、分割天板２の下側支軸２１と側部材３の上側支軸２７を結ぶ線と、分割天板２の下側連結軸２３と側部材３の上側連結軸２８を結ぶ線により、平行四辺形ＳＱが構成されるように配置されている。
【００３９】
この際、下側連結軸２３と上側連結軸２８を結ぶ線は、鉛直方向に配置されていることが好ましく、図３に示すように、側部材３の外側面に臨んで、両軸２３、２８を相互に連結する操作グリップ２９が設けられている。
【００４０】
図３に示すように、左右の側部材３Ｌ、３Ｒは、作業台を展開姿勢Ｐ１としたとき、つまり、側部材３Ｌ、３Ｒを水平姿勢としたとき、対向する先端部を相互に係脱自在に連結する連結手段３０を設けている。図示実施形態の場合、連結手段３０は、門形に形成されたロッド３１により構成され、該ロッド３１の一端部に垂設した縦軸部３２を一方の側部材３の頂部に摺動自在かつ回動自在に挿入し、常時はスプリング３３により挿入方向に弾発付勢しており、該ロッド３１の他端部に下向きの係止片３４を形成している。
【００４１】
図３のうち左側の側部材３Ｌに設けたロッド３１について説明すると、図示鎖線で示すように、ロッド３１は、スプリング３３に抗して引き上げると、縦軸部３２を介して回動自在とされ、係止片３４を右側の側部材３Ｒに設けた連結孔３５に挿入することにより、左右の側部材３Ｌ、３Ｒを連結する。ロッド３１を反転回動し、図示実線で示すように、係止片３４を左側の側部材３Ｌに設けた休止孔３６に挿入すると、左右の側部材３Ｌ、３Ｒの連結を解除した状態で、ロッド３１を固定保持する。
【００４２】
（展開姿勢と折畳み姿勢）
作業台を図１に示す展開姿勢Ｐ１から図１３に示す折畳み姿勢Ｐ２とするように姿勢変更する際、上述のようにして、アーム部材１５を手摺１２から離脱させて手掛かり棒６に沿って保持させると共に、手摺１２を手掛かり棒６から離脱させて主脚１に沿って保持させる。また、前記連結手段３０による連結を解除することにより、左右の側部材３Ｌ、３Ｒを連結から解放する。
【００４３】
図５に示す展開姿勢Ｐ１から、作業者が操作グリップ２９を握持することにより上向きに持ち上げると、順次、図６及び図７に示すように、左右の分割天板２Ｌ、２Ｒと左右の側部材３Ｌ、３Ｒが山折れ方向に屈折させられながら、左右の主脚１Ｌ、１Ｒを引き寄せることにより相互に近接させるので、作業台を横方向（桁方向）に偏平となるように折畳み、図８に示す折畳み姿勢Ｐ２とすることができる。
【００４４】
図５ないし図８から明らかなように、山折れ方向の屈折は、上述の平行四辺形ＳＱを次第に偏平とさせるように変形することにより行われ、好ましくは、分割天板２の両側縁が幅Ｗとされた側部材３、３の内側面に進入させられる。このため、屈折の動作は、分割天板２の両側に側部材３、３が一体化された状態で行われるので、横揺れのない円滑な動作が確保され、従って、下側支軸２１及び上側支軸２７に対して大きな負荷がかかることもない。
【００４５】
しかも、上述の平行四辺形ＳＱは、下側連結軸２３と上側連結軸２７を結ぶ線を鉛直方向とするように形成され、この鉛直線に沿って操作グリップ２９が設けられている。従って、展開姿勢Ｐ１から折畳み姿勢Ｐ２に至るまでの間、操作グリップ２９は、姿勢を変えることなく、常に鉛直姿勢を保持しており、作業者による操作グリップ２９の持ち上げ作業を容易とする。
【００４６】
折畳み姿勢Ｐ２とされた作業台は、図１３に示すように、アーム部材１５により構成された折畳み保持手段１６と、保持アーム１７により、左右の主脚１Ｌ、１Ｒを近接状態で連結保持される。尚、折畳み状態を保持するための手段は、本発明の主目的ではないので、任意に構成すれば良い。
【００４７】
作業台を使用するため、折畳み姿勢Ｐ２から展開姿勢Ｐ１に向けて姿勢変更する場合は、上記と反対の手順により、主脚１、１を離間させると共に分割天板２及び側部材３を水平方向に展開させれば良く、この際、作業者は、操作グリップ２９を保持することにより、分割天板２及び側部材３をゆっくりと降ろすように配慮することが好ましい。
【００４８】
（変形実施形態）
本発明は、上記の実施形態に限定されるものではなく、種々の設計変更が可能である。例えば、上記の実施形態の場合、左右の分割天板２Ｌ、２Ｒの連結ブラケット１９を１本の下側連結軸２３により枢結し、左右の側部材３Ｌ、３Ｒの枢結ブラケット２６を１本の上側連結軸２８により枢結しているが、図１４に示すように、継手部材３７を介在させた構成としても良い。この場合、左側の分割天板２Ｌの連結ブラケット１９Ｌと側部材３Ｌの枢結ブラケット２６Ｌは、前記継手部材３７に対して下側連結軸２３Ｌと上側連結軸２８Ｌにより枢結されており、右側の分割天板２Ｒの連結ブラケット１９Ｒと側部材３Ｒの枢結ブラケット２６Ｒは、前記継手部材３７に対して下側連結軸２３Ｒと上側連結軸２８Ｒにより枢結されており、このような構成とした場合でも、上述の平行四辺形ＳＱを構成する上下の軸２６、１９を結ぶ線は、常に鉛直方向の姿勢を保持するので、展開姿勢Ｐ１と折畳み姿勢Ｐ２の間での姿勢変更を可能とする。
【００４９】
このような継手手段３７を設ける場合、該継手手段３７により操作グリップ２９を形成することができるので、操作グリップ２９を握りやすくする等、設計の自由度が広がる等の利点がある。
【符号の説明】
【００５０】
１  主脚
２  分割天板
３  側部材
４  脚柱
４ａ  伸縮脚
５  横桟
６  手掛かり棒
７  キャスタ
８  係脱ロック手段
９  吊持手段
１０  枢結金具
１１  支持手段
１２  手摺
１２ａ  主材
１２ｂ  伸縮材
１３  枢結金具
１４  係脱金具
１５  アーム部材
１６  折畳み保持手段
１７  保持アーム
１８  支持ブラケット
１８ａ  延長ブラケット
１９  連結ブラケット
２０  中央ブラケット
２１  下側支軸
２１ａ  軸支孔
２２  ストッパ
２３  下側連結軸
２３ａ  軸支孔
２４  中央連結軸
２５  枢支ブラケット
２６  枢結ブラケット
２７  上側支軸
２７ａ  軸支孔
２８  上側連結軸
２８ａ  軸支孔
２９  操作グリップ
３０  連結手段
３１  ロッド
３２  縦軸部
３３  スプリング
３４  係止片
３５  連結孔
３６  休止孔
３７  継手手段
【図１】
2018154977.tif 000003
【図２】
2018154977.tif 000004
【図３】
2018154977.tif 000005
【図４】
2018154977.tif 000006
【図５】
2018154977.tif 000007
【図６】
2018154977.tif 000008
【図７】
2018154977.tif 000009
【図８】
2018154977.tif 000010
【図９】
2018154977.tif 000011
【図１０】
2018154977.tif 000012
【図１１】
2018154977.tif 000013
【図１２】
2018154977.tif 000014
【図１３】
2018154977.tif 000015
【図１４】
2018154977.tif 000016